(57)【特許請求の範囲】
【請求項１】
開口窓を有する天壁部の左右に側壁部が垂設され、前記開口窓の対向左右内面には蓋体を載置する蓋体載置段部が設けられた断面逆Ｕ字状の排水溝ブロックを敷設して形成される排水溝の改修方法であって、改修対象となる前記排水溝ブロックの前記天壁部に生じた欠損箇所を、コンクリートやモルタルなどの修繕用部材で修繕するとともに、前記開口窓のブロック長さ方向前後に所定深さの溝を延設し、続いて、前記修繕箇所を含む前記天壁部を下記の覆体で覆うとともに、この覆体の一部を前記溝に嵌入することを特徴とする排水溝の改修方法。
記
前記覆体は、前記天壁部の左側部のみを覆うものである。
【請求項２】
請求項１記載の排水溝の改修方法において、前記溝は、前記排水溝ブロックの長さ方向前後側縁から前記開口窓までの間に形成することを特徴とする排水溝の改修方法。
【請求項３】
請求項１，２いずれか１項に記載の排水溝の改修方法において、前記覆体は、前記天壁部の上部左外面，左側頂面，前記開口窓の左側蓋体載置段部までの内面，前記左側蓋体載置段部及び前記左側蓋体載置段部から下方所定位置までの内面のみを覆う形状の覆体であることを特徴とする排水溝の改修方法。
【請求項４】
開口窓を有する天壁部の左右に側壁部が垂設され、前記開口窓の対向左右内面には蓋体を載置する蓋体載置段部が設けられた断面逆Ｕ字状の排水溝ブロックを敷設して形成される排水溝の改修方法であって、改修対象となる前記排水溝ブロックの前記天壁部に生じた欠損箇所を、コンクリートやモルタルなどの修繕用部材で修繕するとともに、前記開口窓のブロック長さ方向前後に所定深さの溝を延設し、続いて、前記修繕箇所を含む前記天壁部を下記の覆体で覆うとともに、この覆体の一部を前記溝に嵌入することを特徴とする排水溝の改修方法。
記
前記覆体は、前記天壁部の左側部及び右側部のみを覆うものである。
【請求項５】
請求項４記載の排水溝の改修方法において、前記溝は、前記排水溝ブロックの長さ方向前後側縁から前記開口窓までの間に形成することを特徴とする排水溝の改修方法。
【請求項６】
請求項４，５いずれか１項に記載の排水溝の改修方法において、前記覆体は、前記天壁部の上部左外面，左側頂面，前記開口窓の左側蓋体載置段部までの内面，前記左側蓋体載置段部及び前記左側蓋体載置段部から下方所定位置までの内面のみを覆う形状の覆体と、前記天壁部の上部右外面，右側頂面，前記開口窓の右側蓋体載置段部までの内面，前記右側蓋体載置段部及び前記右側蓋体載置段部から下方所定位置までの内面のみを覆う形状の覆体であることを特徴とする排水溝の改修方法。
【請求項７】
請求項１〜６いずれか１項に記載の排水溝の改修方法において、ガイド体と、このガイド体のガイド部に沿ってスライドするスライド部を設けた切断構造体とから成る切断装置によって前記溝を形成することを特徴とする排水溝の改修方法。
【請求項８】
請求項１〜７いずれか１項に記載の排水溝の改修方法において、前記欠損箇所は前記蓋体載置段部若しくはその近傍または前記天壁部の頂面若しくはその近傍における欠損箇所であることを特徴とする排水溝の改修方法。
【請求項９】
請求項１〜８いずれか１項に記載の排水溝の改修方法において、前記覆体にして前記蓋体載置段部を覆う部分には、前記蓋体のガタつきを防止する緩衝部材が設けられていることを特徴とする排水溝の改修方法。
【請求項１０】
開口窓を有する天壁部の左右に側壁部が垂設され、前記開口窓の対向左右内面には蓋体を載置する蓋体載置段部が設けられた断面逆Ｕ字状の排水溝ブロックを敷設して形成される排水溝の改修方法であって、改修対象となる前記排水溝ブロックの前記天壁部に生じた欠損箇所を、コンクリートやモルタルなどの修繕用部材で修繕するとともに、前記排水溝ブロックが敷設される敷設部位の端部に所定深さの溝を形成し、続いて、前記修繕箇所を含む前記天壁部を下記の覆体で覆うとともに、前記覆体の一部を前記溝に嵌入することを特徴とする排水溝の改修方法。
記
前記覆体は、前記天壁部の左側部のみを覆うものである。
【請求項１１】
開口窓を有する天壁部の左右に側壁部が垂設され、前記開口窓の対向左右内面には蓋体を載置する蓋体載置段部が設けられた断面逆Ｕ字状の排水溝ブロックを敷設して形成される排水溝の改修方法であって、改修対象となる前記排水溝ブロックの前記天壁部に生じた欠損箇所を、コンクリートやモルタルなどの修繕用部材で修繕するとともに、前記排水溝ブロックが敷設される敷設部位の端部に所定深さの溝を形成し、続いて、前記修繕箇所を含む前記天壁部を下記の覆体で覆うとともに、前記覆体の一部を前記溝に嵌入することを特徴とする排水溝の改修方法。
記
前記覆体は、前記天壁部の左側部及び右側部のみを覆うものである。
【請求項１２】
請求項１０，１１いずれか１項に記載の排水溝の改修方法において、ガイド体と、このガイド体のガイド部に沿ってスライドするスライド部を設けた切断構造体とから成る切断装置によって前記溝を形成することを特徴とする排水溝の改修方法。
【請求項１３】
請求項１〜１２いずれか１項に記載の排水溝の改修方法において、前記覆体は金属製の細長薄板を折曲して形成したものであることを特徴とする排水溝の改修方法。
【発明の詳細な説明】
【技術分野】
【０００１】
本発明は、例えば道路脇に設けられたり道路を横断する状態で設けられる排水溝の改修方法に関するものである。
【背景技術】
【０００２】
例えば道路脇に設けられたり道路を横断する状態で設けられる排水溝ブロック（この排水溝ブロックが連設されて排水溝が形成される。）は、経年変化によっては勿論、人や車両が上部を通過する際に受ける振動などの原因から欠損が生じる。
【０００３】
具体的には、この排水溝ブロックとしては、底壁の左右に側壁部が立設され、夫々の側壁部の内面上部には蓋体を載置する蓋体載置段部が設けられ、側壁部上部間にして蓋体載置段部間に蓋体を設けて使用する断面Ｕ字状のものの他、開口窓を有する天壁部の左右に側壁部が垂設され、開口窓の対向左右内面には蓋体を載置する蓋体載置段部が設けられ、蓋体載置段部上にして開口窓に蓋体を設けて使用する断面逆Ｕ字状のものがあり、例えば物が当たったりして天壁部の頂面左右角縁が欠けたり削れたりし、また、人や車両が上部を通過した際に蓋体がバタつくことで蓋体載置段部が欠けたり削れたりしてしまう。
【０００４】
そこで、この排水溝ブロックに生じた欠損箇所の改修方法として、例えば特開２００６−２９０１５号に開示されるような切断装置を利用して排水溝ブロックの天壁部を所定部位（蓋体載置段部よりも下方位置にして側壁部との境界位置）で切断し、この切断して除去した部分に、予め工場で成形されたコンクリート成形品を配設したり、或いは、型枠を配設してコンクリートを打設して現場で成形したりするなど、天壁部のみを新品に取り換える（或いは成形し直す）改修する方法が提案されている。
【０００５】
この改修方法は、それ以前に行われていた排水溝ブロックを全て取り替える方法に比べれば、廃材の排出量が低減されてコスト面及び環境面に秀れている。
【先行技術文献】
【特許文献】
【０００６】
【特許文献１】特開２００６−２９０１５号公報
【発明の概要】
【発明が解決しようとする課題】
【０００７】
本出願人は、前述した排水溝の改修方法について更なる研究開発を進め、その結果、極めて画期的な排水溝の改修方法を開発した。
【課題を解決するための手段】
【０００８】
添付図面を参照して本発明の要旨を説明する。
【０００９】
開口窓１ｅを有する天壁部１ｄの左右に側壁部１ａが垂設され、前記開口窓１ｅの対向左右内面には蓋体４を載置する蓋体載置段部１ｃが設けられた断面逆Ｕ字状の排水溝ブロック１を敷設して形成される排水溝の改修方法であって、改修対象となる前記排水溝ブロック１の前記天壁部１ｄに生じた欠損箇所Ｄを、コンクリートやモルタルなどの修繕用部材３で修繕するとともに、前記開口窓１ｅのブロック長さ方向前後に所定深さの溝８を延設し、続いて、前記修繕箇所を含む前記天壁部１ｄを下記の覆体２で覆うとともに、この覆体２の一部を前記溝８に嵌入することを特徴とする排水溝の改修方法に係るものである。                                                                              
記
前記覆体２は、前記天壁部１ｄの左側部１ｄ’のみを覆うものである。
【００１０】
また、請求項１記載の排水溝の改修方法において、前記溝８は、前記排水溝ブロック１の長さ方向前後側縁から前記開口窓１ｅまでの間に形成することを特徴とする排水溝の改修方法に係るものである。
【００１１】
また、請求項１，２いずれか１項に記載の排水溝の改修方法において、前記覆体２は、前記天壁部１ｄの上部左外面，左側頂面，前記開口窓１ｅの左側蓋体載置段部１ｃまでの内面，前記左側蓋体載置段部１ｃ及び前記左側蓋体載置段部１ｃから下方所定位置までの内面のみを覆う形状の覆体２であることを特徴とする排水溝の改修方法に係るものである。
【００１２】
また、開口窓１ｅを有する天壁部１ｄの左右に側壁部１ａが垂設され、前記開口窓１ｅの対向左右内面には蓋体４を載置する蓋体載置段部１ｃが設けられた断面逆Ｕ字状の排水溝ブロック１を敷設して形成される排水溝の改修方法であって、改修対象となる前記排水溝ブロック１の前記天壁部１ｄに生じた欠損箇所Ｄを、コンクリートやモルタルなどの修繕用部材３で修繕するとともに、前記開口窓１ｅのブロック長さ方向前後に所定深さの溝８を延設し、続いて、前記修繕箇所を含む前記天壁部１ｄを下記の覆体２で覆うとともに、この覆体２の一部を前記溝８に嵌入することを特徴とする排水溝の改修方法に係るものである。                                                                        
記
前記覆体２は、前記天壁部１ｄの左側部１ｄ’及び右側部１ｄ''のみを覆うものである。
【００１３】
また、請求項４記載の排水溝の改修方法において、前記溝８は、前記排水溝ブロック１の長さ方向前後側縁から前記開口窓１ｅまでの間に形成することを特徴とする排水溝の改修方法に係るものである。
【００１４】
また、請求項４，５いずれか１項に記載の排水溝の改修方法において、前記覆体２は、前記天壁部１ｄの上部左外面，左側頂面，前記開口窓１ｅの左側蓋体載置段部１ｃまでの内面，前記左側蓋体載置段部１ｃ及び前記左側蓋体載置段部１ｃから下方所定位置までの内面のみを覆う形状の覆体２と、前記天壁部１ｄの上部右外面，右側頂面，前記開口窓１ｅの右側蓋体載置段部１ｃまでの内面，前記右側蓋体載置段部１ｃ及び前記右側蓋体載置段部１ｃから下方所定位置までの内面のみを覆う形状の覆体２であることを特徴とする排水溝の改修方法に係るものである。
【００１５】
また、請求項１〜６いずれか１項に記載の排水溝の改修方法において、ガイド体26と、このガイド体26のガイド部26ａに沿ってスライドするスライド部28ｃを設けた切断構造体27とから成る切断装置25によって前記溝８を形成することを特徴とする排水溝の改修方法に係るものである。
【００１６】
また、請求項１〜７いずれか１項に記載の排水溝の改修方法において、前記欠損箇所Ｄは前記蓋体載置段部１ｃ若しくはその近傍または前記天壁部１ｄの頂面若しくはその近傍における欠損箇所Ｄであることを特徴とする排水溝の改修方法に係るものである。
【００１７】
また、請求項１〜８いずれか１項に記載の排水溝の改修方法において、前記覆体２にして前記蓋体載置段部１ｃを覆う部分には、前記蓋体４のガタつきを防止する緩衝部材17が設けられていることを特徴とする排水溝の改修方法に係るものである。
【００１８】
また、開口窓１ｅを有する天壁部１ｄの左右に側壁部１ａが垂設され、前記開口窓１ｅの対向左右内面には蓋体４を載置する蓋体載置段部１ｃが設けられた断面逆Ｕ字状の排水溝ブロック１を敷設して形成される排水溝の改修方法であって、改修対象となる前記排水溝ブロック１の前記天壁部１ｄに生じた欠損箇所Ｄを、コンクリートやモルタルなどの修繕用部材３で修繕するとともに、前記排水溝ブロック１が敷設される敷設部位20の端部に所定深さの溝20ａを形成し、続いて、前記修繕箇所を含む前記天壁部１ｄを下記の覆体２で覆うとともに、前記覆体２の一部を前記溝20ａに嵌入することを特徴とする排水溝の改修方法に係るものである。                                                        
記
前記覆体２は、前記天壁部１ｄの左側部１ｄ’のみを覆うものである。
【００１９】
また、開口窓１ｅを有する天壁部１ｄの左右に側壁部１ａが垂設され、前記開口窓１ｅの対向左右内面には蓋体４を載置する蓋体載置段部１ｃが設けられた断面逆Ｕ字状の排水溝ブロック１を敷設して形成される排水溝の改修方法であって、改修対象となる前記排水溝ブロック１の前記天壁部１ｄに生じた欠損箇所Ｄを、コンクリートやモルタルなどの修繕用部材３で修繕するとともに、前記排水溝ブロック１が敷設される敷設部位20の端部に所定深さの溝20ａを形成し、続いて、前記修繕箇所を含む前記天壁部１ｄを下記の覆体２で覆うとともに、前記覆体２の一部を前記溝20ａに嵌入することを特徴とする排水溝の改修方法に係るものである。                                                        
記
前記覆体２は、前記天壁部１ｄの左側部１ｄ’及び右側部１ｄ''のみを覆うものである。
【００２０】
また、請求項１０，１１いずれか１項に記載の排水溝の改修方法において、ガイド体26と、このガイド体26のガイド部26ａに沿ってスライドするスライド部28ｃを設けた切断構造体27とから成る切断装置25によって前記溝20ａを形成することを特徴とする排水溝の改修方法に係るものである。
【００２１】
また、請求項１〜１２いずれか１項に記載の排水溝の改修方法において、前記覆体２は金属製の細長薄板を折曲して形成したものであることを特徴とする排水溝の改修方法に係るものである。
【発明の効果】
【００２２】
本発明は上述のように構成したから、従来から提案される改修方法に比し、簡易且つ迅速に排水溝を改修でき、より一層コスト面及び環境面に秀れるなど従来にない作用効果を発揮する画期的な排水溝の改修方法となる。
【図面の簡単な説明】
【００２３】
【図１】実施例１に係る覆体２を示す斜視図である。
【図２】実施例１に係る覆体２の一部を示す背面斜視図である。
【図３】実施例１に係る排水溝の改修方法の説明図である。
【図４】実施例１に係る排水溝の改修方法の説明図である。
【図５】実施例１に係る排水溝の改修方法の説明図である。
【図６】実施例１に係る排水溝の改修方法の説明図である。
【図７】実施例１に係る排水溝の改修方法で改修した箇所の部分拡大説明断面図である。
【図８】実施例１に係る排水溝の改修方法の説明図である。
【図９】実施例１に係る排水溝の改修方法の説明図である。
【図１０】実施例１に係る排水溝の改修方法の説明図である。
【図１１】実施例２に係る切断装置25を示す斜視図である。
【図１２】実施例２に係る切断装置25の使用状態説明図である。
【図１３】実施例２に係る切断装置25の使用状態説明図である。
【図１４】実施例２に係る切断装置25の使用状態説明図である。
【図１５】実施例２に係る切断装置25の使用状態説明図である。
【発明を実施するための形態】
【００２４】
好適と考える本発明の実施形態を、図面に基づいて本発明の作用を示して簡単に説明する。
【００２５】
改修対象となる排水溝ブロック１の天壁部１ｄに生じた欠損箇所Ｄを、コンクリートやモルタルなどの修繕用部材３で修繕し、続いて、修繕箇所を含む天壁部１ｄを覆体２で覆う。この覆体２は天壁部１ｄの保護機能を発揮し、しかも、既存の排水溝の体裁を良好にする機能も発揮する。
【００２６】
また、従来から行われている改修方法のように、排水溝ブロック１の天壁部１ｄを切除するような作業は必要なく、単にコンクリートやモルタルなどの修繕用部材３で欠損箇所Ｄを修繕した修繕箇所を含む部位を覆体２で覆うだけであり、簡易且つ迅速に排水溝の改修が行われることになる。
【００２７】
また、本発明は、排水溝ブロック１の天壁部１ｄを切除してコンクリート成形品を配設したり、或いは、型枠を配設してコンクリートを打設したりする場合に必要となる強度計算や、この強度計算に基づく施工が不要であり、排水溝ブロック１が持つ強度をそのまま利用して改修が行われることになり、しかも、欠損箇所Ｄの修繕作業の後に覆体２で覆うことになるから、覆体２の表面に修繕用部材３が付着してしまうようなことがなく仕上がり状態が良好となる。
【００２８】
また、本発明に係る覆体２は、天壁部１ｄの左側部１ｄ’のみを覆うものである。
【００２９】
従って、欠損箇所Ｄが天壁部１ｄの左側部１ｄ’のみである場合は、この片側の左側部１ｄ’のみを覆体２で覆えば良いだけとなり、しかも、覆体２は、天壁部１ｄの全てを覆うだけの大きさにする必要が無いから非常にコスト安となる。
【００３０】
また、この覆体２により天壁部１ｄを全て覆うことはないから、滑りにくい天壁部１ｂを可及的に露出させることで、天壁部１ｄを全て覆った場合に比して滑りにくい状態が得られることになる。
【００３１】
また、本発明は、欠損箇所Ｄを、コンクリートやモルタルなどの修繕用部材３で修繕するとともに、開口窓１ｅのブロック長さ方向前後に所定深さの溝８を延設し、続いて、修繕箇所を含む天壁部１ｄを覆体２で覆うとともに、この覆体２の一部を溝８に嵌入するから、前述した簡易構造でありながら排水溝ブロック１に対して外れにくい堅固な覆い状態が得られることになる。
【００３２】
即ち、例えば修繕後に覆体２上を人や車が通過するなどして荷重がかかった際、覆体２には外れさせようとする力が加わるが、天壁部１ｄに形成した溝８に一部を嵌入させることで、例えば天壁部１ｄへ接触する表面が増える分、天壁部１ｄへの付設状態がより堅固となり、天壁部１ｄに対して外れにくい堅固な覆い状態が得られることになる。
【実施例１】
【００３３】
本発明の具体的な実施例１について図１〜10に基づいて説明する。
【００３４】
本実施例は、開口窓１ｅを有する天壁部１ｄの左右に側壁部１ａが垂設され、開口窓１ｅの対向左右内面には蓋体４を載置する蓋体載置段部１ｃが設けられた断面逆Ｕ字状の排水溝ブロック１を敷設して形成される排水溝の改修方法であって、改修対象となる排水溝ブロック１の天壁部１ｄに生じた欠損箇所Ｄを、コンクリートやモルタルなどの修繕用部材３で修繕し、続いて、修繕箇所を含む天壁部１ｄを覆体２で覆う排水溝の改修方法である。
【００３５】
本実施例に係る排水溝ブロック１としては、図２〜７に図示したように断面逆Ｕ字状の排水溝ブロック１が採用されており、この蓋体載置段部１ｃに蓋体４が載置されて開口窓１ｅが閉塞される構成である。
【００３６】
本明細書で言う排水溝ブロック１の天壁部１ｄとは、蓋体載置段部１ｃよりも下方位置にして左右の側壁部１ａ夫々との境界位置までを指す。符号１ｆは敷設部位20に形成される掘削凹溝の底に形成される底部材であり、この底部材１ｆ上に排水溝ブロック１が載置される。
【００３７】
また、本実施例に係る覆体２は、図１に図示したように適宜な金属製の長尺の細長薄板材を折曲して形成されており、長さは排水溝ブロック１の長さと同一の長さに設定され、天壁部１ｄの左右の側部（左側部１ｄ’及び右側部１ｄ’のいずれか一方のみ）を覆うものである。つまり、覆体２は、天壁部１ｄの左側部１ｄ’及び右側部１ｄ’夫々を覆うもので、この左側部１ｄ’及び右側部１ｄ’夫々を覆う覆体２同士は分離された別体のもの（天壁部１ｄの左側部１ｄ’及び右側部１ｄ’夫々を覆う覆体２は共通パーツ）である。
【００３８】
尚、覆体２は型による成形品でも良い。
【００３９】
覆体２は、排水溝ブロック１の天壁部１ｄの頂面を覆う上側覆い部２ａ、敷設部位20の端部に形成する溝20ａに挿入され天壁部１ｄの側部外面を覆う外側覆い部２ｂ及び天壁部１ｄ（開口窓１ｅ）の内面を覆う内側覆い部２ｃを有する構成である。
【００４０】
外側覆い部２ｂは、上側覆い部２ａの外側縁に設けられ、この外側覆い部２ｂの前後位置には孔２ｂ’が形成されており、この孔２ｂ’は、堅固な固定状態が要求される場面において、天壁部１ｄの外面とボルト13で止めたり杭止めする際に使用する。
【００４１】
外側覆い部２ｂは基板部２ａの全縁に設けなくても良く、断続的に設けるようにしても良い。また、敷設部位20の端部に形成する溝20ａを、排水溝ブロック１に係る天壁部１ａの上部外面との境界でなく、この上部外面から離れた位置（これも敷設部位20の端部）に設けた場合には、この溝20ａに外側覆い部２ｂを挿入するようにすれば良い（つまり、必ずしも外側覆い部２ｂは天壁部１ａの側部外面に当接する必要はない。）。
【００４２】
内側覆い部２ｃは、上側覆い部２ａの内側縁に設けられ、開口窓１ｅ内にして蓋体載置段部１ｃまでの天壁部１ｄの内面を覆う第一覆い部２ｃ’、蓋体載置段部１ｃを覆う第二覆い部２ｃ''及び蓋体載置段部１ｃから下方所定位置までの内面を覆う第三覆い部２ｃ'''で構成されている。
【００４３】
また、内側覆い部２ｃにして第一覆い部２ｃ’の両側には垂下片２ｄが一体形成されている。
【００４４】
この垂下片２ｄは、天壁部１ｄを覆体２で覆った際、天壁部１ｄに形成する溝８に嵌入する嵌入部２ｄとして構成されている。
【００４５】
また、覆体２の第二覆い部２ｃ''の上面には緩衝部材17を設けている。
【００４６】
具体的には、この緩衝部材17は、適度な可撓性を有する合成樹脂製の部材（ゴム部材）で形成した帯板状体であり、断面山形状の凸条部17ａが複数並設されて所定巾を有するとともに、第二覆い部２ｃ''の長さ方向の長さと同じ長さを有する。
【００４７】
また、緩衝部材17は両面テープを介して第二覆い部２ｃ''の上面に設けられる。
【００４８】
従って、この緩衝部材17により、蓋体４を載置した際に蓋体４の破損や騒音の原因となるガタつきを防止することができ、しかも、成形表面に凹凸の生じ易いコンクリート製の蓋体４の成形精度を保証することができる。
【００４９】
尚、緩衝部材17はゴムに限らずスポンジでも良いなど本実施例の特性を発揮するものであれば適宜採用し得るものである。
【００５０】
また、本実施例では、排水溝の改修作業の際、排水溝ブロック１が敷設される敷設部位20の端部（天壁部１ｄの上部外面との境界部）に溝20ａを形成し、且つ、天壁部１ｄに溝８を形成するための切断装置５を設けている。尚、この溝20ａは、覆体２で覆う際に該覆体２の一部（外側覆い部２ｂ）嵌入する部位である。
【００５１】
具体的には、この切断装置５は、適宜な駆動源（図示省略の電動モーター）を内装した本体６の先端部（側面）に円形の切断刃７を設けたカッター装置である。
【００５２】
また、本体６は、切断刃７の角度を可変する角度可変機構を具備している。
【００５３】
この角度可変機構は、本体６の下部６ａを傾動自在に設けて構成されており、天壁部１ｄに形成する溝８を垂直状でなく傾斜状に形成することができる。
【００５４】
これは開口窓１ｅの内面（開口窓１ｅ内にして蓋体載置段部１ｃまでの天壁部１ｄの内面）は傾斜しており、溝８は垂直状でなくこの傾斜面に合わせて傾斜状に形成される。
【００５５】
従って、本体を天壁部１ｄの上面を摺動させることで所定の角度に傾斜した溝８を形成することができる（図４参照）。尚、必要に応じて車輪と動力を設けて自動走行するように構成しても良い。
【００５６】
また、本実施例では、修繕用部材３として硬化性部材であるモルタルが採用される。尚、修繕用部材３としてはコンクリートでも良いなど、本実施例の特性を発揮するものであれば適宜採用し得るものである。
【００５７】
以上の構成から成る覆体２と切断装置５を使用した排水溝の改修方法（図３，８に図示した欠損箇所Ｄが生じた排水溝ブロック１に係る天壁部１ｄの改修方法）について説明する。尚、本実施例では、天壁部１ｄの修繕した左側部１ｄ’及び右側部１ｄ’夫々を覆体２で覆う改修を行っているが、左側部１ｄ’及び右側部１ｄ’のいずれか一方のみに改修を行っても良い。
【００５８】
先ず、図３，８に図示したように改修対象となる排水溝ブロック１から蓋体４を外して、切断装置５で溝20ａを形成する。具体的には、切断装置５に係る切断刃７を回転させ、排水溝ブロック１が敷設される敷設部位20にして天壁部１ｄの側部外面の近傍部位（舗装部位）に所定深さ（約２ｃｍ）の溝20ａを形成する。この溝20ａは天壁部１ｄの外側面に沿って形成される。
【００５９】
続いて、図４に図示したように天壁部１ｄに溝８を形成する。尚、前述した溝20ａを形成する前にこの溝８を形成するようにしても良い。
【００６０】
続いて、図５，９に図示したように欠損箇所Ｄを修繕用部材３で修繕する。蓋体載置段部１ｃを修繕する際には、ジャッキ装置10（回動螺子棒10Ａの回動により左右に突没移動する左右のリンク部材10Ｂ）に設けられた型枠10ａ，10ｂを用いて行う。尚、欠損箇所Ｄを修繕した後に切断装置５で溝20ａを形成するようにしても良い。
【００６１】
続いて、図６，７に図示したように修繕済みの天壁部１ｄに接着剤11を介して覆体２で覆う。この際、覆体２の上側覆い部２ａは天壁部１ｄの頂面を覆い、外側覆い部２ｂは溝20ａに挿入されて天壁部１ｄの上部外面を覆い、内側覆い部２ｃに係る第一覆い部２ｃ’は開口窓１ｅ内にして天壁部１ｄの蓋体載置段部１ｃまでの内面、第二覆い部２ｃ''は天壁部１ｄの蓋体載置段部１ｃ、第三覆い部２ｃ'''は天壁部１ｄの蓋体載置段部１ｃから下方所定位置までの内面を覆う（覆体２を構成する各部位を軽く叩くなどして天壁部１ｄの形状に合致させる。）。この際、内側覆い部２ｃにして第一覆い部２ｃ’の両側に設けた嵌入部２ｄを天壁部１ｄに形成した溝８に嵌入する。
【００６２】
その後、アスファルト等の特殊合材を外側覆い部２ｂと溝20ａとの隙間を埋めたり、敷設部位20との段差を無くしたり、嵌入部２ｄと溝８との隙間を埋めたりするように打設するなど仕上げ処理を行い、新しい蓋体４を蓋体載置段部１ｃ（覆体２に係る第二覆い部２ｃ''の上面）に載置して作業は終了となる（図10参照）。
【００６３】
本実施例は上述のように構成したから、従来から行われている改修方法のように、排水溝ブロック１の天壁部１ｄを切除するような作業は必要なく、単にコンクリートやモルタルなどの修繕用部材３で欠損箇所Ｄを修繕した天壁部１ｄの側部を覆体２で覆うだけであり、簡易且つ迅速に排水溝の改修が行われ、しかも、コスト安である。
【００６４】
また、本実施例は、排水溝ブロック１の天壁部１ｄを切除してコンクリート成形品を配設したり、或いは、型枠を配設してコンクリートを打設したりする場合に必要となる強度計算や、この強度計算に基づく施工が不要であり、排水溝ブロック１が持つ強度をそのまま利用して改修が行われることになり、しかも、欠損箇所Ｄの修繕作業の後に覆体２で覆うことになるから、修繕用部材３が覆体２の表面に付着してしまうようなことがなく仕上がり状態が良好となる。
【００６５】
また、本実施例は、排水溝ブロック１の天壁部１ｄを切除したりしないから産業廃棄物の排出を抑制することができ、しかも、建設機械をほとんど使用しない為、二酸化炭素の排出量も抑制し得ることになるなど、環境にやさしい工法となる。
【００６６】
また、本実施例は、覆体２が天壁部１ｄの表面形状と同形状の為、蓋体４の載置に支障を来さない。
【００６７】
また、本実施例は、覆体２にして蓋体載置段部１ｃを覆う部分（第二覆い部２ｃ''の上面）には、蓋体４のガタつきを防止する緩衝部材17が設けられているから、蓋体４を載置した際に蓋体４の破損や騒音の原因となるガタつきを防止することができ、しかも、成形表面に凹凸の生じ易いコンクリート製の蓋体４の成形精度を保証することができる。
【００６８】
また、本実施例は、排水溝ブロック１が敷設される敷設部位20の端部に所定深さの溝20ａを形成した後、覆体２をこの溝20ａに一部嵌入して覆うから、覆体２での覆い作業が極めて簡易且つ良好に行えることになる。具体的には、この溝20ａにより排水溝ブロック１の側壁部１ａの上部外面を覆う外側覆い部２ｂを良好に配設し得ることになる。また、覆体２は排水溝ブロック１に対して掛け止め状態となり、単に天壁部１ｄの上面に載置されるだけの場合に比し、覆体２はそれだけ堅固に覆われることになる。
【００６９】
また、本実施例は、覆体２は金属板を折曲形成して構成されているから、簡易構造故にコスト安にして量産性に秀れることになる。
【００７０】
また、本実施例は、既存の排水溝の流れを止めることなく施工することができる。
【実施例２】
【００７１】
本発明の具体的な実施例２について図11〜15に基づいて説明する。
【００７２】
本実施例は、排水溝の改修作業の際、排水溝ブロック１が敷設される敷設部位20の端部（天壁部１ｄの上部外面との境界部）に形成される溝20ａと、天壁部１ｄに形成される溝８を形成するための切断装置として、ガイド体26と、このガイド体26のガイド部26ａに沿ってスライドするスライド部28ｃを有する切断構造体27とから成る切断装置25を採用した場合である。
【００７３】
具体的には、ガイド体26は、図11に図示したように適宜な金属製（ステンレス）の板材で形成した断面Ｌ字状の長尺体であり、長尺基体26'の長尺方向の一側縁にはガイド部26ａが上方へ向けて折曲形成されており、このガイド部26ａはガイド体26の全長にわたって直線状に形成されている。
【００７４】
このガイド部26ａは、後述する切断構造体27のスライド部28ｃをガイドするものである。
【００７５】
また、ガイド体26は、長尺基体26'におけるガイド部26ａと反対側の側縁にして前後複数個所（二箇所）に下方へ向けて凸部26ｂが折曲形成されている。
【００７６】
この凸部26ｂは、切断装置25で溝８，20を形成する際、ガイド体26を設置箇所に位置決め係止するためのものである。
【００７７】
即ち、溝20ａを形成する際は、図12に図示したように敷設部位20に予め凹部20ｂを形成し、この凹部20ｂに凸部26ｂを挿入して位置決め係止させ、溝８を形成する場合は、図14に図示したように天壁部１ｄの開口窓１ｅ（隣接する排水溝ブロック１における天壁部１ｄの開口窓１ｅ夫々）の開口縁に凸部26ｂを係止して位置決め係止させることになる。
【００７８】
切断構造体27は、図11に図示したように走行本体部28と、この走行本体部28に連設される切断部29とで構成されている。
【００７９】
走行本体部28は、適宜な金属製の部材で形成したものであり、基体28'の下面前後位置に車輪28ａが設けられ、基体28'の上面後方位置には走行ハンドル28ｂが設けられている。
【００８０】
従って、走行本体部28は走行ハンドル28ｂを握持して押引操作することで前後方向に人力で移動することになる。尚、走行本体部28は動力を具備して自走式にしても良い。
【００８１】
また、走行本体部28には、ガイド体26のガイド部26ａをスライドするスライド部28ｃが設けられている。
【００８２】
このスライド部28ｃは、基体28'の一側縁部に該走行本体部28の前後方向に長さを有し下方に向けて開口する凹溝を設けて構成されており、板状のガイド部28ａに上方から被嵌してスライド自在に係止連結するように構成されている。
【００８３】
また、走行本体部28は、上面前方位置に立設部28ｄが設けられており、この立設部28ｄには上下方向に長さを有する長窓孔28ｄ'が形成され、この長窓孔28ａ'は後述する切断部29を連結する部位である。
【００８４】
切断部29は、図11に図示したように適宜な駆動源30（電動モーター）を備えた本体29ａの一側部に円形の切断刃29ｂを設けたカッター装置である。
【００８５】
また、本体29ａは、切断刃29ｂの角度を可変する角度可変機構を具備している。
【００８６】
この角度可変機構は、図11に図示したように本体29ａの後方部に連結軸部29ｃを設け、この連結軸部29ｃを長窓孔28ｄ'に回動自在にして上下方向にスライド自在に連結して構成されている。
【００８７】
従って、走行本体部28に対して切断部29は左右方向（図15中矢印ａ方向）に揺動回動自在となり、切断刃29ｂを垂直状態としたり、傾斜状態としたりその角度を可変することができる。
【００８８】
また、本体29ａには角度可変ハンドル29ｄが設けられており、この角度可変ハンドル29ｄを操作して切断刃29ｂの角度を可変することができる。
【００８９】
従って、天壁部１ｄに形成する溝８を垂直状でなく傾斜状に形成することができる。
【００９０】
以上の構成から成る切断装置25を用いた溝の形成方法について説明する。
【００９１】
先ず、溝20ａを形成する場合、図12に図示したように予め敷設部位20に設けた凹部20ｂに凸部26ｂを係止させてガイド体26を位置決め状態に設置し、ガイド体26のガイド部26ａに切断構造体27のスライド部28ｃを被嵌連結し、走行ハンドル28ｂを握って押し込みながらスライド部28ｃをスライドさせて車輪28ａを基体28'の上面を走行させるとともに、切断刃29ｂを回転させ、排水溝ブロック１が敷設される敷設部位20にして天壁部１ｄの側部外面の近傍部位（舗装部位）に所定深さ（約２ｃｍ）の溝20ａを形成する（図13参照）。この溝20ａは天壁部１ｄの外側面に沿って形成される。この溝20ａを形成する際、走行ハンドル28ｂを握る手と反対の手で握っている角度可変ハンドル29ｄを操作して切断刃29ｂを垂直状態に保持する。
【００９２】
一方、天壁部１ｄに溝８を形成する場合、図14に図示したように天壁部１ｄの開口窓１ｅの開口縁に凸部26ｂを係止させてガイド体26を位置決め状態に設置し、ガイド体26のガイド部26ａに切断構造体27のスライド部28ｃを被嵌連結し、走行ハンドル28ｂを握って押し込みながらスライド部28ｃをスライドさせて車輪28ａを基体28'の上面を走行させるとともに、切断刃29ｂを回転させ、天壁部１ｄにおける前記開口窓１ｅのブロック長さ方向前後に、所定深さにして天壁部１ｄの長さ方向に延設される溝８を形成する（図15参照）。この溝８を形成する際、走行ハンドル28ｂを握る手と反対の手で握っている角度可変ハンドル29ｄを操作して切断刃29ｂを傾斜状態に保持する。
【００９３】
尚、前述した溝20ａを形成する前にこの溝８を形成するようにしても良い。
【００９４】
本実施例は上述のように構成したから、簡易且つ確実に真っ直ぐな溝８，20ａを形成することができる。
【００９５】
その余は実施例１と同様のものである。
【００９６】
尚、本発明は、実施例１，２に限られるものではなく、各構成要件の具体的構成は適宜設計し得るものである。
【符号の説明】
【００９７】
Ｄ  欠損箇所
１  排水溝ブロック
１ａ  側壁部
１ｃ  蓋体載置段部
１ｄ  天壁部
１ｄ’  左側部
１ｄ''  右側部
１ｅ  開口窓
２  覆体
３  修繕用部材
４  蓋体
８  溝
17  緩衝部材
20  敷設部位
20ａ  溝
25  切断装置
26  ガイド体
26ａ  ガイド部
27  切断構造体
28ｃ  スライド部
【図１】
0005502120.tif 000002
【図２】
0005502120.tif 000003
【図３】
0005502120.tif 000004
【図４】
0005502120.tif 000005
【図５】
0005502120.tif 000006
【図６】
0005502120.tif 000007
【図７】
0005502120.tif 000008
【図８】
0005502120.tif 000009
【図９】
0005502120.tif 000010
【図１０】
0005502120.tif 000011
【図１１】
0005502120.tif 000012
【図１２】
0005502120.tif 000013
【図１３】
0005502120.tif 000014
【図１４】
0005502120.tif 000015
【図１５】
0005502120.tif 000016